(57)【特許請求の範囲】
【請求項１】
作業油を吐出する油圧ポンプ２と、この油圧ポンプ２を駆動するポンプモータ３とを備え、油圧ポンプ２より吐出する作動油の流量を規制して所望の流量を作業機における荷役用シリンダに供給する比例電磁弁５を備えると共に、操作レバーのレバー操作量に基づいた指令出力値を算出し、算出した指令出力値を比例電磁弁５に出力して比例電磁弁５の作動を制御するコントローラ６を備えたフォークリフトトラックの荷役用シリンダの制御装置において、
前記コントローラ６では、レバー操作量と指令出力値との関係を示す関係データを変化率を異ならせて複数記憶し、この記憶した変化率の異なった複数の関係データの中から、操作レバーのレバー操作速度に応じて所望の関係データを選択し、この選択した関係データによって操作レバーのレバー操作量に基づいた指令出力値を算出すると共に、記憶した変化率の異なった複数の関係データの中から、基準関係データを１つ決めて、操作レバーを操作してその操作量の変化量が所定値以下となった場合は、所定時間経過後に、前記基準関係データによって操作レバーのレバー操作量に基づいた指令出力値を算出するようにしたことを特徴とするフォークリフトトラックの荷役用シリンダの制御装置。
【請求項２】
作業油を吐出する油圧ポンプ２と、この油圧ポンプ２を駆動するポンプモータ３とを備え、油圧ポンプ２より吐出する作動油の流量を規制して所望の流量を作業機における荷役用シリンダに供給する比例電磁弁５を備えると共に、操作レバーのレバー操作量に基づいた指令出力値を算出し、算出した指令出力値を比例電磁弁５に出力して比例電磁弁５の作動を制御するコントローラ６を備えたフォークリフトトラックの荷役用シリンダの制御装置において、
前記コントローラ６では、レバー操作量と指令出力値との関係を示す関係データを変化率を異ならせて複数記憶し、この記憶した変化率の異なった複数の関係データの中から、操作レバーのレバー操作速度に応じて所望の関係データを選択し、この選択した関係データによって操作レバーのレバー操作量に基づいた指令出力値を算出すると共に、操作レバーのレバー操作量が増加する加速時は、記憶した変化率の異なった複数の関係データの中から、操作レバーのレバー操作速度に応じて所望の関係データを選択し、この選択した関係データによって操作レバーのレバー操作量に基づいた指令出力値を算出し、かつ、操作レバーのレバー操作量が減少する減速時は、加速時から減速時へ切り替わった時点でのデータと予め決定してある初期指令出力値とを結んで、減速時のレバー操作量と指令出力値との関係を示す関係データを設定し、この設定した減速時のレバー操作量と指令出力値との関係を示す関係データによって操作レバーのレバー操作量に基づいた指令出力値を算出するようにしたことを特徴とするフォークリフトトラックの荷役用シリンダの制御装置。
【請求項３】
作業機における負荷を検出する負荷検出手段を備えると共に、前記コントローラ６では、レバー操作量と指令出力値との関係を示す関係データを、負荷検出手段で検出した負荷に応じて可変するようにしたことを特徴とする請求項１または請求項２記載のフォークリフトトラックの荷役用シリンダの制御装置。
【発明の詳細な説明】
【０００１】
【発明の属する技術分野】
本発明は、フォークリフトトラックにおいて、フォークを昇降動するリフトシリンダやマストを傾動するチルトシリンダ、その他のアタッチメント用のシリンダ等の荷役用シリンダを制御する制御装置に関する。
【０００２】
【従来の技術】
従来、フォークリフトトラックは車体に作業機を装着しており、この作業機としては、車体の前部にチルトシリンダにより前後傾動自在となるマストを備え、このマストに沿ってリフトシリンダ及びチェーンにより昇降動自在となるリフトブラケットを備え、このリフトブラケットにフォークを備えた構成となる。
【０００３】
このようになる作業機を備えたフォークリフトトラックにおいて、例えば、荷役用シリンダであるリフトシリンダの制御装置としては、図１に示すように、油圧タンク１の作動油を吐出する油圧ポンプ２と、この油圧ポンプ２を駆動するポンプモータ３を備え、油圧ポンプ２より吐出する作動油の流量を規制して所望の流量をリフトシリンダ４に供給する比例電磁弁５を備えている。
【０００４】
この比例電磁弁５は、入力する指令出力値に基づいてソレノイドＡとソレノイドＢによりスプールを動かして、上昇位置Ｕ、停止位置Ｎ、下降位置Ｄにおいて移動するようになり、作動油の流れる方向とバルブ開度変更による作動油の流量を変更して、リフトシリンダ４における上昇、停止、下降の作動を行うようになる。
【０００５】
そして、ソレノイドＡとソレノイドＢは車体に搭載したコントローラ６に接続しており、このコントローラ６より指令出力値を受けて制御されている。このコントローラ６においては車体の運転室に設置した操作レバーであるリフトレバー７に接続し、このリフトレバー７のレバー操作量を入力し、この入力したレバー操作量に基づいた指令出力値を算出し、算出した指令出力値をソレノイドＡあるいはソレノイドＢに出力して比例電磁弁５の作動を制御する。
【０００６】
このコントローラ６におけるレバー操作量に基づいた指令出力値の算出は、まず、当該コントローラにおいて、図２に示すレバー操作量と指令出力値との関係を示す関係データである演算式を予め記憶しておく。そして、入力したリフトレバー７のレバー操作量に基づいて記憶した演算式により指令出力値を算出するようになっている。
【０００７】
【発明が解決しようとする課題】
かかる従来のフォークリフトトラックの荷役用シリンダであるリフトシリンダの制御装置にあっては、リフトレバーを操作すると、まず、コントローラにおいて演算式により指令出力値が算出され、これが比例電磁弁に出力され、そして、パイロットの比例減圧弁が作動してからメインのスプールが作動し、所望のバルブ開度となり、作動油がリフトシリンダに流れるようになるといった過程となり、操作レバーであるリフトレバーを操作してから実際にリフトシリンダが作動してフォークが動くまでに時間がかかる、すなわち、応答性が悪いといった問題があった。
【０００８】
このため、例えば、パレット内にフォークを挿入する時、瞬間的にリフトレバーを急操作して、フォークを短時間に短距離移動させる微動作業を行う場合、図３に示すように、リフトレバーを瞬間的に急操作しても、応答性の悪さにより所望のバルブ開度となる前にリフトレバーを戻してしまうため、リフトシリンダにおける作動量が小さい、あるいは作動しないといった問題が発生していた。
【０００９】
そこで、図４に示すように、コントローラにおいて記憶されたレバー操作量と指令出力値との関係を示す関係データである演算式を高めに設定して、これにより算出される指令出力値を高くすることで、図５に示すように、前述の微動作業を行う場合のリフトシリンダにおける作動を確実に行えるようにすることもできるが、このようなコントローラにおける高めの演算式の設定であると、今度は通常の操作による作業を行う場合、リフトレバーを操作するとすぐに指令出力値が最大値となる、すなわちレバー操作量の変化領域が小さくなり、これにより速度コントロールできる操作範囲が非常に狭くなるおそれがあり、僅かな操作でリフトシリンダが急作動がおこるといった問題が発生し、操作性が非常に悪いといったことがあった。
本発明は、これらの問題を解消することを、その課題としている。
【００１０】
【課題を解決するための手段】
第一の発明は、作業油を吐出する油圧ポンプと、この油圧ポンプを駆動するポンプモータとを備え、油圧ポンプより吐出する作動油の流量を規制して所望の流量を作業機における荷役用シリンダに供給する比例電磁弁を備えると共に、操作レバーのレバー操作量に基づいた指令出力値を算出し、算出した指令出力値を比例電磁弁に出力して比例電磁弁の作動を制御するコントローラを備えたフォークリフトトラックの荷役用シリンダの制御装置において、前記コントローラでは、レバー操作量と指令出力値との関係を示す関係データを変化率を異ならせて複数記憶し、この記憶した変化率の異なった複数の関係データの中から、操作レバーのレバー操作速度に応じて所望の関係データを選択し、この選択した関係データによって操作レバーのレバー操作量に基づいた指令出力値を算出すると共に、記憶した変化率の異なった複数の関係データの中から、基準関係データを１つ決めて、操作レバーを操作してその操作量の変化量が所定値以下となった場合は、所定時間経過後に、前記基準関係データによって操作レバーのレバー操作量に基づいた指令出力値を算出する
ようにする。
【００１１】
第二の発明は、作業油を吐出する油圧ポンプと、この油圧ポンプを駆動するポンプモータとを備え、油圧ポンプより吐出する作動油の流量を規制して所望の流量を作業機における荷役用シリンダに供給する比例電磁弁５を備えると共に、操作レバーのレバー操作量に基づいた指令出力値を算出し、算出した指令出力値を比例電磁弁に出力して比例電磁弁の作動を制御するコントローラを備えたフォークリフトトラックの荷役用シリンダの制御装置において、前記コントローラでは、レバー操作量と指令出力値との関係を示す関係データを変化率を異ならせて複数記憶し、この記憶した変化率の異なった複数の関係データの中から、操作レバーのレバー操作速度に応じて所望の関係データを選択し、この選択した関係データによって操作レバーのレバー操作量に基づいた指令出力値を算出すると共に、操作レバーのレバー操作量が増加する加速時は、記憶した変化率の異なった複数の関係データの中から、操作レバーのレバー操作速度に応じて所望の関係データを選択し、この選択した関係データによって操作レバーのレバー操作量に基づいた指令出力値を算出し、かつ、操作レバーのレバー操作量が減少する減速時は、加速時から減速時へ切り替わった時点でのデータと予め決定してある初期指令出力値とを結んで、減速時のレバー操作量と指令出力値との関係を示す関係データを設定し、この設定した減速時のレバー操作量と指令出力値との関係を示す関係データによって操作レバーのレバー操作量に基づいた指令出力値を算出するようにする。
【００１２】
第三の発明は、第一または第二の発明において、作業機における負荷を検出する負荷検出手段を備えると共に、前記コントローラでは、レバー操作量と指令出力値との関係を示す関係データを、負荷検出手段で検出した負荷に応じて可変するようにする。
【００１３】
【作  用】
第一の発明によれば、操作レバーのレバー操作速度に応じて比例電磁弁に出力する指令出力値を変更することで、操作レバーを急操作または普通操作またはゆっくり操作した際、それぞれの操作において適格な制御を行うことができると共に、操作レバーを操作してその操作量の変化量が所定値以下となった場合は、所定時間経過後に、基準関係データによって操作レバーのレバー操作量に基づいた指令出力値を算出することで、操作レバーのレバー操作速度に関係なく、基準関係データを用いた指令出力値が比例電磁弁に出力されるので、操作レバーを保持状態とした時、常に同じフィーリングで荷役用シリンダを作動することができる。
【００１４】
第二の発明によれば、操作レバーのレバー操作量が減少する減速時において、加速時から減速時へ切り替わった時点でのデータと予め決定してある初期指令出力値とを結んで、減速時のレバー操作量と指令出力値との関係を示す関係データを設定し、この設定した減速時のレバー操作量と指令出力値との関係を示す関係データによって指令出力値を算出するようにしたことで、操作レバーの減速時にレバー操作量に応じてすぐに指令出力値を追従させることができ、操作レバーにおける減速時のフィーリングを良好にすることができる。
【００１５】
第三の発明によれば、負荷検出手段で検出した負荷に応じて可変するようにしたことで、負荷に影響されるのをなくすことができる。
【００１６】
【発明の実施の形態】
まず、本発明によるフォークリフトトラックの荷役用シリンダの制御装置の基本的な実施形態について説明する。
車体の前部にチルトシリンダにより前後傾動自在となるマストを備え、このマストに沿ってリフトシリンダ及びチェーンにより昇降動自在となるリフトブラケットを備え、このリフトブラケットにフォークを備えた構成となる作業機を装着したフォークリフトトラックにおいて、荷役用シリンダの一種であるリフトシリンダの制御装置としては、従来と同様、図１に示すように、油圧タンク１の作動油を吐出する油圧ポンプ２と、この油圧ポンプ２を駆動するポンプモータ３を備え、油圧ポンプ２より吐出する作動油の流量を規制して所望の流量をリフトシリンダ４に供給する比例電磁弁５を備えている。
【００１７】
この比例電磁弁５は、入力する電流出力値に基づいてソレノイドＡとソレノイドＢによりスプールを動かして、リフトシリンダ４のボトム４ａ側に作動油を供給するようになる上昇位置Ｕ、作動油の流れを遮断するようになる停止位置Ｎ、リフトシリンダ４のボトム４ａ側より作動油を油圧タンク１に流すようになる下降位置Ｄにおいて移動するようになり、作動油の流れる方向とバルブ開度変更による作動油の流量を変更して、リフトシリンダ４における上昇、停止、下降の作動を行うようになる。
【００１８】
そして、ソレノイドＡとソレノイドＢは車体に搭載したコントローラ６に接続しており、このコントローラ６より電流出力値を受けて制御されている。このコントローラ６においては車体の運転室に設置した操作レバーであるリフトレバー７に装着しているレバー検出手段であるポテンショメータ８に接続し、このポテンショメータ８よりリフトレバー７の操作量を入力し、この入力したレバー操作量に基づいた指令出力値を算出し、算出した指令出力値をレノイドＡあるいはソレノイドＢに出力して比例電磁弁５の作動を制御する。
【００１９】
このコントローラ６におけるレバー操作量に基づいた指令出力値の算出は、当該コントローラ６において、予め記憶するレバー操作量と指令出力値との関係を示す関係データである演算式を、変化率を異ならせた複数記憶しておく。この記憶した複数の演算式としては、例えば、図６（ａ）に示すレバー操作量の変化に対して指令出力値の変化を大きくした変化率が大きくなる急パターンのレバー操作量と指令出力値との関係を示す演算式と、図６（ｂ）に示すレバー操作量の変化に対して指令出力値の変化を普通にした変化率が普通となる中パターンのレバー操作量と指令出力値との関係を示す演算式と、図６（ｃ）に示すレバー操作量の変化に対して指令出力値の変化を小さくした変化率が小さくなる緩パターンのレバー操作量と指令出力値との関係を示す演算式の３つのパターンの演算式である。そして、操作レバーであるリフトレバー７が操作され、リフトレバー７の中立域（ニュートラ）から制御域に移行した時点で、ポテンショメータ８より入力したデータからリフトレバー７のレバー操作速度を検出し、このレバー操作速度を３つのレベル（急，中，緩）で判別する。そして、レバー操作速度が急と判別すると急パターンの演算式を、レバー操作速度が中と判別すると中パターンの演算式を、レバー操作速度が緩と判別すると緩パターンの演算式をそれぞれ選択するようにして、リフトレバー７のレバー操作速度に応じて、急・中・緩パターンの演算式の中から所望の演算式を選択する。そして、選択した演算式を用いて入力したリフトレバー７のレバー操作量に基づいた指令出力値を算出するようになる。
【００２０】
このようになることで、例えば、パレット内にフォークを挿入する時、瞬間的にリフトレバー７を急操作して、フォークを短時間に短距離移動させる微動作業を行う場合、コントローラ６においては、リフトレバー７を瞬間的に急操作すると、レバー操作速度が急と判別し、急パターンの演算式を用いて高めの指令出力値を算出し、この指令出力値により比例電磁弁５が作動するようになり、高めの指令出力値により比例電磁弁５において短時間で所望のバルブ開度とすることができ、リフトシリンダ４を確実に作動して、微動作業を行うことができる。
【００２１】
また、リフトレバー７をゆっくり操作して、フォークを徐々に移動させる作業を行う場合、コントローラ６においては、リフトレバー７をゆっくり操作すると、レバー操作速度が緩と判別し、緩パターンの演算式を用いて低めの指令出力値を算出し、この指令出力値により比例電磁弁５が作動するようになり、低めの指令出力値によりリフトレバー７を操作する際のレバー操作量の変化に対して指令出力値がすぐに最大値となるのをなくし、すなわちレバー操作量の変化領域を大きくして、速度コントロールできる操作範囲を広げることができる。
【００２２】
このようにリフトレバーのレバー操作速度に応じて比例電磁弁５へ出力する指令出力値を変更することで、リフトレバー７を瞬間的に急操作するとフォークを短時間に短距離移動させる微動作業を行うことができ、また、リフトレバー７を普通操作すると通常の作業を行うことができ、さらに、リフトレバー７をゆっくり操作すると速度をコントロール６しながらの作業を行うことができ、各種の作業を極めて容易に行うことができるようになる。
【００２３】
また、前述の基本的な実施形態における別の例として、コントローラ６におけるレバー操作量に基づいた指令出力値の算出を別の手段で行うようにする。これは、コントローラ６において、変化率を異ならせたレバー操作量と指令出力値との関係を示す演算式を複数記憶する代わりに、図７に示す基本となるレバー操作量と指令出力値との関係を示す基本演算式を記憶し、さらに、図８に示すように、レバー操作速度と単位時間当たりの指令出力値増加量との関係を示す演算式を記憶する。なお、図７に示すように、基本となるレバー操作量と指令出力値との関係を示す基本演算式は、レバー操作速度が緩い状態のときに、レバー操作量が最大（１００％）で指令出力値が最大値となるように設定している。そして、リフトレバー７が操作され、リフトレバー７の中立域（ニュートラ）から制御域に移行した時点で、ポテンショメータ８より入力したデータからリフトレバー７のレバー操作速度を検出し、このレバー操作速度よりレバー操作速度と単位時間当たりの指令出力値増加量との関係を示す演算式を用いて指令出力値増加量を算出する。そして、この算出した指令出力値増加量を、レバー操作量と指令出力値との関係を示す基本演算式により算出した指令出力値に加算することで、最終の指令出力値を算出する。そして、これを制御周期毎に繰り返して行うようにする。
これによっても、リフトレバー７のレバー操作速度に応じて作業を行うことができ、各種の作業を極めて容易に行うことができる。
【００２４】
なお、前述のコントローラ６において、レバー操作量と指令出力値との関係を示す関係データとして、演算式を記憶しているが、これに限定されるもにではなく、マップ等を用いてもよい。
【００２５】
次に、本発明によるフォークリフトトラックの荷役用シリンダの制御装置の実施の形態として、コントローラ６において、前述した基本的な実施形態と同様、レバー操作量と指令出力値との関係を示す関係データである演算式にあって、急パターンのレバー操作量と指令出力値との関係を示す演算式と、中パターンのレバー操作量と指令出力値との関係を示す演算式と、緩パターンのレバー操作量と指令出力値との関係を示す演算式の３つのパターンの演算式を記憶しておき、この中から、リフトレバー７のレバー操作速度に応じて所望の演算式を選択し、この選択した演算式を用いて入力したリフトレバー７のレバー操作量に基づいた指令出力値を算出するようになる。
【００２６】
一方、コントローラ６において、前記の急パターンと中パターンと緩パターンのレバー操作量と指令出力値との関係を示す３つのパターンの演算式の中から、変化率が一番小さくなる演算式である緩パターンのレバー操作量と指令出力値との関係を示す演算式を基準関係データである基準演算式とし、これを予め設定する。そして、リフトレバー７を操作してその操作量の変化量が所定値以下、すなわちリフトレバー７を保持状態（リフトレバー７をある位置で保持する状態）とした場合は、リフトレバー７を操作してから所定時間Ｔ経過後に、前記の急パターンと中パターンと緩パターンのレバー操作量と指令出力値との関係を示す３つのパターンの演算式の中から、リフトレバー７のレバー操作速度に応じて所望の演算式を選択するのではなく、予め設定したレバー操作量と指令出力値との関係を示す基準演算式を用いて入力したリフトレバー７のレバー操作量に基づいた指令出力値を算出するようになる。
【００２７】
なお、この基準演算式を用いるための所定時間Ｔとしては、リフトレバー７を操作した際、比例電磁弁５における作動油の流量がリフトレバー７のレバー操作量に応じた流量の例えば９５％程度となる時間とし、これを実験等により予め求めておく。
また、前記基準演算式を用いて入力したリフトレバー７のレバー操作量に基づいた指令出力値に移行する際は、指令出力値をフィルタ処理あるいは一定量加減算を行なうことで、ショック等の発生のないスムーズな移行を行なうようにしている。
【００２８】
このようにリフトレバー７を保持状態とした時は、リフトレバー７を操作してから所定時間Ｔ経過後に、基準演算式によってリフトレバー７のレバー操作量に基づいた指令出力値を算出することで、リフトレバー７のレバー操作速度に関係なく、基準演算式を用いた指令出力値が比例電磁弁５に出力されるので、常に同じフィーリングでリフトシリンダ４を作動することができる。
【００２９】
次に、本発明によるフォークリフトトラックの荷役用シリンダの制御装置の別の実施の形態について説明する。
リフトシリンダの制御装置としては、前述した基本的な実施形態及び実施の形態と同様となるが、コントローラ６におけるレバー操作量に基づいた指令出力値の算出において、以下の点で異なる。
【００３０】
これは、コントローラ６において、リフトレバー７を作動してレバー操作量を増加する加速時は、前述した基本的な実施形態及び実施の形態と同様、レバー操作量と指令出力値との関係を示す関係データである演算式にあって、急パターンのレバー操作量と指令出力値との関係を示す演算式と、中パターンのレバー操作量と指令出力値との関係を示す演算式と、緩パターンのレバー操作量と指令出力値との関係を示す演算式の３つのパターンの演算式を記憶しておき、この中から、リフトレバー７のレバー操作速度に応じて所望の演算式を選択し、この選択した演算式を用いて入力したリフトレバー７のレバー操作量に基づいた指令出力値を算出するようになる。
【００３１】
一方、リフトレバー７を戻してレバー操作量を減少する減速時は、加速時における指令出力値の算出方法と異なり、図９に示すように、リフトレバー７が加速時から減速時へ切り替わった時点でのレバー操作量と指令出力値とをデータ（Ａ点）として記憶し、この記憶したレバー操作量と指令出力値と、予め決定してある初期指令出力値（Ｓ点）とを結んで、減速時のレバー操作量と指令出力値との関係を示す関係データである演算式を設定し、この設定した減速時のレバー操作量と指令出力値との関係を示す演算式を用いて入力したリフトレバー７のレバー操作量に基づいた指令出力値を算出するようになる。
【００３２】
このようになることで、前述の基本的な実施形態及び実施の形態と同様にリフトレバー７のレバー操作速度に応じて比例電磁弁５へ出力する指令出力値を変更することで、リフトレバー７を瞬間的に急操作するとフォークを短時間に短距離移動させる微動作業を行うことができ、また、リフトレバー７を普通操作すると通常の作業を行うことができ、さらに、リフトレバー７をゆっくり操作すると速度をコントロールしながらの作業を行うことができ、各種の作業を極めて容易に行うことができるようになる。
【００３３】
しかも、リフトレバー７を戻す操作の減速時においては、指令出力値の算出方法をリフトレバー７を作動する操作の加速時と異ならして、リフトレバー７が加速時から減速時へ切り替わった時点でのデータと予め決定してある初期指令出力値とを結んで、減速時のレバー操作量と指令出力値との関係を示す関係データである演算式を設定し、この設定した減速時のレバー操作量と指令出力値との関係を示す演算式によって指令出力値を算出することで、例えば、リフトレバー７を急操作したままにして指令出力値が最大値となった状態で、リフトレバー７を戻した時（減速時）、戻し操作の開始当初に指令出力値が最大値のままになるのを防いで、リフトレバー７のレバー操作量に応じてすぐに指令出力値が追従する（下がる）ようになり、リフトレバー７における減速時のフィーリングを良好なものにすることができる。
【００３４】
次に、本発明によるフォークリフトトラックの荷役用シリンダの制御装置のさらに別の実施の形態について説明する。
リフトシリンダの制御装置としては、前述した基本的な実施形態及び及び各実施の形態と略同様となるが、以下の点で若干異なる。つまり、図１０に示すように、前述した基本的な実施形態及び各実施の形態のおいて、さらに、リフトシリンダ４の負荷すなわち作業機における負荷を検出する負荷検出手段をリフトシリンダ４の近傍に備える。この負荷検出手段としては圧力センサー９であり、この圧力センサー９によりリフトシリンダ４にかかる圧力を検出することで負荷を検出する。そして、この圧力センサー９もコントローラ６に接続し、検出した負荷をコントローラ６に入力する。
【００３５】
そして、コントローラ６においては、予め記憶する変化率を異ならせた複数のレバー操作量と指令出力値との関係を示す関係データである演算式を、図１１（ａ）あるいは図１１（ｂ）あるいは図１１（ｃ）のように、検出した負荷に応じて変更するようにする。これにより、リフトレバー７を操作する際に負荷に影響されることなく常に最適なフィーリングでの操作を行うことができる。
【００３６】
なお、前述した基本的な実施形態における別の例として説明した指令出力値増加量を基本演算式により算出した指令出力値に加算して最終の指令出力値を算出する方式のものにおいては、レバー操作速度と単位時間当たりの指令出力値増加量との関係を示す演算式を、図１２のように、検出した負荷に応じて変更するようにすることで、やはり、負荷に影響されることなく常に最適なフィーリングでの操作を行うことができる。
【００３７】
以上のように、前述した基本的な実施形態及び各実施の形態においては、リフトシリンダの制御装置として説明しているが、これに限定されるものではなく、マストを傾動するチルトシリンダやその他のアタッチメント用のシリンダ等の制御装置としても良い。
【００３８】
【発明の効果】
操作レバーのレバー操作速度に応じて比例電磁弁に出力する指令出力値を変更することで、操作レバーを急操作または普通操作またはゆっくり操作した際、それぞれの操作において適格な制御を行うことができ、各種の作業を極めて容易に行うことができ、操作性の向上をはかる。
【００３９】
しかも、操作レバーを操作してその操作量の変化量が所定値以下となった場合は、所定時間経過後に、基準関係データによって操作レバーのレバー操作量に基づいた指令出力値を算出することで、操作レバーのレバー操作速度に関係なく、基準関係データを用いた指令出力値が比例電磁弁に出力されるので、操作レバーを保持状態とした時、常に同じフィーリングで荷役用シリンダを作動することができる。
【００４０】
また、操作レバーのレバー操作量が減少する減速時において、加速時から減速時へ切り替わった時点でのデータと予め決定してある初期指令出力値とを結んで、減速時のレバー操作量と指令出力値との関係を示す関係データを設定し、この設定した減速時のレバー操作量と指令出力値との関係を示す関係データによって指令出力値を算出するようにしたことで、操作レバーの減速時にレバー操作量に応じてすぐに指令出力値を追従させることができ、操作レバーにおける減速時のフィーリングを良好にする。
【００４１】
また、負荷検出手段で検出した負荷に応じて可変するようにしたことで、負荷に影響されるのをなくすことができ、これにより、常に同じフィーリングでの操作を行うことで、操作性の向上をはかる。
【図面の簡単な説明】
【図１】  フォークリフトトラックの荷役用シリンダの制御装置における構成図である。
【図２】  従来のコントローラにおいて記憶したレバー操作量と指令出力値との関係を示す演算式の図表である。
【図３】  従来の作動状態を示す図表である。
【図４】  従来のコントローラにおいて記憶したレバー操作量と指令出力値との関係を示す関係データの図表である。
【図５】  従来の作動状態を示す図表である。
【図６】  （ａ）コントローラにおいて記憶した急パターンのレバー操作量と指令出力値との関係を示す演算式の図表である。
（ｂ）コントローラにおいて記憶した中パターンのレバー操作量と指令出力値との関係を示す演算式の図表である。
（ｃ）コントローラにおいて記憶した緩パターンのレバー操作量と指令出力値との関係を示す演算式の図表である。
【図７】  コントローラにおいて記憶したレバー操作量と指令出力値との関係を示す基本演算式の図表である。
【図８】  コントローラにおいて記憶したレバー操作速度と単位時間当たりの指令出力値増加量との関係を示す演算式の図表である。
【図９】  コントローラにおいて設定された減速時のレバー操作量と指令出力値との関係を示す演算式の図表である。
【図１０】  フォークリフトトラックの荷役用シリンダの制御装置における他の構成図である。
【図１１】  （ａ）コントローラにおいて記憶した急パターンのレバー操作量と指令出力値との関係を示す演算式の図表である。
（ｂ）コントローラにおいて記憶した中パターンのレバー操作量と指令出力値との関係を示す演算式の図表である。
（ｃ）コントローラにおいて記憶した緩パターンのレバー操作量と指令出力値との関係を示す演算式の図表である。
【図１２】  コントローラにおいて記憶したレバー操作速度と単位時間当たりの指令出力値増加量との関係を示す演算式の図表である。
【符号の説明】
１…油圧タンク、２…油圧ポンプ、３…ポンプモータ、４…リフトシリンダ、４ａ…ボトム、５…比例電磁弁、６…コントローラ、７…リフトレバー、８…ポテンショメータ、９…圧力センサー。
【図１】
0003777565.tif 000002
【図２】
0003777565.tif 000003
【図３】
0003777565.tif 000004
【図４】
0003777565.tif 000005
【図５】
0003777565.tif 000006
【図６】
0003777565.tif 000007
【図７】
0003777565.tif 000008
【図８】
0003777565.tif 000009
【図９】
0003777565.tif 000010
【図１０】
0003777565.tif 000011
【図１１】
0003777565.tif 000012
【図１２】
0003777565.tif 000013